(57)【要約】【課題】  ピアノ本体から筬を引き出す際のピン板へのハンマーヘッドの衝突を防止し、それによりハンマーなどの損傷・破損を防止することができるピアノを提供する。【解決手段】  ピアノ本体５から引出し自在の筬６と、筬６設けられた複数の鍵７およびピン板３と、回動自在の複数のハンマー８と、ハンマー規制装置１０と、を備え、ハンマー規制装置１０は、筬６に設けられ、前端部を中心として回動自在の複数のステイ３１と、複数のステイ３１に支持され、左右方向に延びるハンマー押え具３２と、複数のステイ３１を付勢するばね３５と、ピアノ本体５に設けられ、筬６をピアノ本体５から引き出す際、ハンマー押えローラ３２がハンマー８のハンマーシャンク１５に上方から当接するように複数のステイ３１を回動させ、ハンマー８のハンマーヘッド１６の上方への所定量以上の移動を阻止するガイドレール３３と、を有する。【選択図】図５
2011112950.tif 000002
【特許請求の範囲】
【請求項１】
棚板を有するピアノ本体と、
前記棚板に載置され、前記ピアノ本体から前方に引出し自在に設けられた筬と、
当該筬に揺動自在に設けられた複数の鍵と、
左右方向に延びるように前記ピアノ本体に設けられたピン板と、
当該ピン板の上方に設けられた弦と、
前記筬に前記複数の鍵ごとに設けられ、前記ピン板の下方に前後方向に延びるハンマーシャンク、および当該ハンマーシャンクの後端部に設けられたハンマーヘッドを有し、前記ハンマーシャンクの前端部を中心として上下方向に回動自在であるとともに、対応する前記鍵の離鍵状態では前記ハンマーヘッドが前記ピン板の下方に位置し、対応する前記鍵の押鍵に伴い、上方に回動することにより、前記ハンマーヘッドが前記弦を打弦する複数のハンマーと、
前記筬を前記ピアノ本体から引き出す際の前記複数のハンマーの上方への回動を規制するためのハンマー規制装置と、を備え、
当該ハンマー規制装置は、
前記筬に左右方向に並設され、前後方向に延び、前端部を中心として上下方向に回動自在の複数のステイと、
当該複数のステイの後端部間に支持され、前記ハンマーシャンクの上方に左右方向に延びるハンマー押え具と、
前記複数のステイを上方に付勢するばねと、
前記ピアノ本体に設けられ、前斜め下方に延びる傾斜部を有し、前記筬が前記ピアノ本体から引き出されるのに伴い、前記複数のステイを前記傾斜部に沿って移動させながら案内することにより、前記複数のステイを下方に回動させ、前記ハンマー押え具が、前記ハンマーシャンクに上方から当接することにより、前記ハンマーヘッドの上方への所定量以上の移動を阻止するガイドレールと、
を有していることを特徴とするピアノ。
【請求項２】
前記複数のステイが移動する際の、前記ガイドレールとの摩擦を低減する摩擦低減手段をさらに備えることを特徴とする、請求項１に記載のピアノ。
【請求項３】
前記摩擦低減手段は、前記複数のステイおよび前記ガイドレールの一方に回転自在に設けられ、他方に接するローラであることを特徴とする、請求項２に記載のピアノ。
【請求項４】
前記摩擦低減手段は、表面がフッ素樹脂加工され、前記複数のステイおよび前記ガイドレールの少なくとも一方に取り付けられ、他方に接するフェルトであることを特徴とする、請求項２に記載のピアノ。
【請求項５】
前記摩擦低減手段は、滑性を有し、前記複数のステイおよび前記ガイドレールの少なくとも一方に取り付けられ、他方に接するシートであることを特徴とする、請求項２に記載のピアノ。
【発明の詳細な説明】
【技術分野】
【０００１】
本発明は、ピアノ本体の棚板から前方に引出し自在の筬を有するピアノに関する。
【背景技術】
【０００２】
従来、この種のグランドピアノとして、例えば特許文献１に開示されたものが知られている。このグランドピアノは、筬と、筬に設けられた複数の鍵および複数のハンマーと、弦を張るためのピン板を備えている。以下、このピアノを演奏者から見た手前側を「前」、奥側を「後」とし、さらに左側および右側を「左」および「右」として、説明する。筬は、ピアノ本体の棚板に載置され、ピアノ本体から前方に引出し自在である。各鍵は、前後方向に延びており、その中央において筬に揺動自在に支持されている。ピン板は、ピアノ本体に設けられ、鍵の上方に左右方向に延びている。
【０００３】
各ハンマーは、鍵ごとに設けられ、ピン板の下方に前後方向に延びる棒状のハンマーシャンクと、その後端部に固定されたハンマーヘッドを有しており、ハンマーシャンクの前端部において、筬に上下方向に回動自在に設けられている。離鍵状態では、ハンマーヘッドはピン板よりも下方に位置している。また、押鍵に伴い、ハンマーが上方に回動することにより、ハンマーヘッドがピン板の下面よりも高い位置まで移動し、弦を打弦する。また、ピアノ本体から筬を引き出すことにより、筬と一緒に鍵やハンマーが引き出され、その状態で鍵やハンマーの調整が行われる。
【先行技術文献】
【特許文献】
【０００４】
【特許文献１】特開平７−３１９４５２号公報
【発明の概要】
【発明が解決しようとする課題】
【０００５】
しかし、このグランドピアノでは、ピアノ本体から筬を前方に引き出す際に誤って鍵が下方に押されると、ハンマーが上方に回動した状態で前方に移動するため、ハンマーヘッドがピン板に衝突することによって、ハンマーなどが損傷・破損するおそれがある。
【０００６】
本発明は、以上のような課題を解決するためになされたものであり、ピアノ本体から筬を引き出す際のピン板へのハンマーヘッドの衝突を防止し、それによりハンマーなどの損傷・破損を防止することができるピアノを提供することを目的とする。
【課題を解決するための手段】
【０００７】
上記の目的を達成するために、請求項１に係るピアノは、棚板を有するピアノ本体と、棚板に載置され、ピアノ本体から前方に引出し自在に設けられた筬と、筬に揺動自在に設けられた複数の鍵と、左右方向に延びるようにピアノ本体に設けられたピン板と、ピン板の上方に設けられた弦と、筬に複数の鍵ごとに設けられ、ピン板の下方に前後方向に延びるハンマーシャンク、およびハンマーシャンクの後端部に設けられたハンマーヘッドを有し、ハンマーシャンクの前端部を中心として上下方向に回動自在であるとともに、対応する鍵の離鍵状態ではハンマーヘッドがピン板の下方に位置し、対応する鍵の押鍵に伴い、上方に回動することにより、ハンマーヘッドが弦を打弦する複数のハンマーと、筬をピアノ本体から引き出す際の複数のハンマーの上方への回動を規制するためのハンマー規制装置と、を備え、ハンマー規制装置は、筬に左右方向に並設され、前後方向に延び、前端部を中心として上下方向に回動自在の複数のステイと、複数のステイの後端部間に支持され、ハンマーシャンクの上方に左右方向に延びるハンマー押え具と、複数のステイを上方に付勢するばねと、ピアノ本体に設けられ、前斜め下方に延びる傾斜部を有し、筬がピアノ本体から引き出されるのに伴い、複数のステイを傾斜部に沿って移動させながら案内することにより、複数のステイを下方に回動させ、ハンマー押え具が、ハンマーシャンクに上方から当接することにより、ハンマーヘッドの上方への所定量以上の移動を阻止するガイドレールと、を有していることを特徴とする。
【０００８】
このピアノによれば、鍵の離鍵状態では、対応するハンマーのハンマーヘッドはピン板の下方に位置している。また、鍵の押鍵に伴い、ハンマーが上方に回動することにより、ハンマーヘッドが、ピン板の下面よりも高い位置まで移動し、弦を打弦する。
【０００９】
また、ピアノ本体から筬が前方に引き出されるのに伴い、筬に設けられた複数のステイが、ピアノ本体に設けられたガイドレールの傾斜部に沿って移動しながら案内されることにより、ばねの付勢力に抗して下方に回動する。この複数のステイの回動に伴い、それらの後端部間に支持されたハンマー押え具が下方に移動し、ハンマーのハンマーシャンクの回動範囲に進入する。このため、この状態で鍵が誤って下方に押されても、ハンマー押え具がハンマーシャンクに上方から当接することにより、各ハンマーの上方への回動が規制され、ハンマーヘッドの上方への所定量以上の移動が阻止される。このため、ハンマーヘッドがピン板の下面を越えて上方に移動することがなくなることで、ピン板との衝突を防止でき、それによりハンマーなどの損傷・破損を防止することができる。
【００１０】
また、引き出された筬がピアノ本体に押し入れられると、ばねで付勢された複数のステイが上方に回動し、これに伴い、ハンマー押え具がハンマーシャンクの回動範囲から退避する。このため、押鍵に伴って回動するハンマーシャンクがハンマー押え具に当接することはなく、したがって、ハンマーによる打弦を支障なく行うことができる。
【００１１】
請求項２に係る発明は、請求項１に記載のピアノにおいて、複数のステイが移動する際の、ガイドレールとの摩擦を低減する摩擦低減手段をさらに備えることを特徴とする。
【００１２】
この構成によれば、筬の引出しに伴って複数のステイが移動する際の複数のステイとガイドレールとの摩擦が、摩擦低減手段によって低減される。このため、筬を小さな操作力で円滑に引き出せるとともに、摩擦に起因する雑音を抑制することができる。
【００１３】
請求項３に係る発明は、請求項２に記載のピアノにおいて、摩擦低減手段は、複数のステイおよびガイドレールの一方に回転自在に設けられ、他方に接するローラであることを特徴とする。
【００１４】
この構成によれば、複数のステイがガイドレールに沿って移動する際、両者の一方に設けられたローラが他方に接した状態で回転する。このように、複数のステイが移動する際、回転するローラを介してガイドレールに接するので、ステイとガイドレールとの摩擦が低減される。その結果、筬を小さな操作力で円滑に引き出せるとともに、摩擦に起因する雑音を抑制できるという請求項２による作用を得ることができる。
【００１５】
請求項４に係る発明は、請求項２に記載のピアノにおいて、摩擦低減手段は、表面がフッ素樹脂加工され、複数のステイおよびガイドレールの少なくとも一方に取り付けられ、他方に接するフェルトであることを特徴とする。
【００１６】
この構成によれば、複数のステイは、それらとガイドレールの少なくとも一方に取り付けられたフェルトの表面が他方に接した状態で、ガイドレールに沿って移動する。フェルトの表面は、フッ素樹脂加工されているため、摩擦係数が小さい。このように、複数のステイが移動する際、摩擦係数の小さなフェルトの表面を介してガイドレールに接するので、ステイとガイドレールとの摩擦が低減され、前述した請求項２による作用を得ることができる。
【００１７】
請求項５に係る発明は、請求項２に記載のピアノにおいて、摩擦低減手段は、滑性を有し、複数のステイおよびガイドレールの少なくとも一方に取り付けられ、他方に接するシートであることを特徴とする。
【００１８】
この構成によれば、複数のステイは、それらとガイドレールの少なくとも一方に取り付けられたシートが他方に接した状態で、ガイドレールに沿って移動する。シートは滑性を有するため、摩擦係数が小さい。このように、複数のステイが移動する際、摩擦係数の小さなシートを介してガイドレールに接するので、ステイとガイドレールとの摩擦が低減され、前述した請求項２による作用を得ることができる。
【図面の簡単な説明】
【００１９】
【図１】本発明のグランドピアノを離鍵状態において示す側断面図である。
【図２】図１のグランドピアノのピン板と積揚との連結部分などを示す部分拡大正面図である。
【図３】ハンマーやハンマー規制装置などを示す部分拡大平面図である。
【図４】図１のグランドピアノを押鍵状態において示す側断面図である。
【図５】筬をピアノ本体から前方に引き出す途中の状態を示す側断面図である。
【図６】第２実施形態によるハンマー規制装置を示す部分拡大側面図である。
【図７】第３実施形態によるハンマー規制装置を示す部分拡大側面図である。
【図８】第４実施形態によるハンマー規制装置を示す部分拡大側面図である。
【発明を実施するための形態】
【００２０】
以下、図面を参照しながら、本発明の好ましい実施形態を詳細に説明する。図１は、本発明を適用した第１実施形態によるグランドピアノ（以下「ピアノ」という）１を離鍵状態において示している。
【００２１】
このピアノ１は、棚板２、ピン板３、積揚４（図２参照）および側板（図示せず）などを有するピアノ本体５と、棚板２に引出し自在に載置された筬６と、筬６に載置された多数の鍵７と、筬６に鍵７ごとに設けられ、弦Ｓを打弦するためのハンマー８と、鍵７の押鍵に伴って、対応するハンマー８を回動させるためのアクション９（いずれも１つのみ図示）と、ハンマー規制装置１０を備えている。
【００２２】
棚板２は、ラワン合板などの木質材で構成され、左右方向（図１の奥行き方向）に長い横長の矩形状に形成されており、側板の左右の前部の下面間に水平に渡され、左右の端部において側板にそれぞれ固定されている。
【００２３】
ピン板３は、カエデなどの木質材から成る複数の単板を、それぞれの繊維方向が互いに直交するように交互に積層した合板で構成されており、筬６の上方に左右方向に延び、その両端部において積揚４の左右の前部の上面に固定されている（図２参照、左側のみ図示）。また、このピン板３を上方から覆うようにフレーム１１が設けられている。フレーム１１には多数のピン孔１１ａが形成されており、各ピン孔１１ａを介してチューニングピン１２がピン板３に立設されている。
【００２４】
筬６は、木質材で構成され、左右方向に延びる筬前６ａ、筬中６ｂおよび筬後６ｃと、前後方向（図１の左右方向）に延びる、左右一対の筬妻６ｄ，６ｄ（左側のもののみ図示）と、それらの内側の３つの中束（図示せず）で構成され、これらの構成部品を互いに連結し、組み立てたものである。多数の鍵７は、左右方向に並設され、各々が前後方向に延びており、その中央に形成されたバランスピン孔（図示せず）を介して、筬６に立設されたバランスピン１３に揺動自在に支持されている。弦Ｓは、各チューニングピン１２と、フレーム１１に設けられた後方のヒッチピン（図示せず）との間に前後方向に延びるように張られている。
【００２５】
ハンマー８は、ピン板３の下方に前後方向に延びるハンマーシャンク１５と、ハンマーシャンク１５の後端部に取り付けられたハンマーヘッド１６を有している。また、ハンマー８は、ハンマーシャンク１５の前端部において、ハンマーシャンクフレンジ１７を介してハンマーシャンクレール１８に上下方向に回動自在に支持されており、図１に示す離鍵状態では、後述するアクション９のレペティションレバー２２に載置されている。ハンマーシャンクレール１８は、多数の鍵７の全体にわたって左右方向に延びており、複数のブラケット１９（１つのみ図示）に渡されている。これらのブラケット１９は、筬６の筬妻６ｄおよび中束にそれぞれ載置され、固定されており、互いに間隔を隔てて計５つ設けられている。
【００２６】
アクション９は、ウィッペン２１と、ウィッペン２１に取り付けられたレペティションレバー２２およびジャック２３を有している。ウィッペン２１は、前後方向に延び、その後端部において、ウィッペンフレンジ２４に回動自在に支持されており、鍵７の後部に設けられたキャプスタン２５に載置されている。
【００２７】
レペティションレバー２２は、前後方向に延び、その中央において、ウィッペン２１に回動自在に取り付けられており、レペティションスプリング２６によって、図１の反時計方向に付勢されている。レペティションレバー２２の前部には、ジャック案内孔（図示せず）が形成されており、図１に示す離鍵状態では、ハンマー８のシャンクローラ２８が載置されている。
【００２８】
ジャック２３は、側面形状がＬ字状に形成されており、その角部において、ウィッペン２１に回動自在に取り付けられている。ジャック２３の上端部は、レペティションレバー２２のジャック案内孔に挿入され、シャンクローラ２８に下方から対向している。
【００２９】
ハンマー規制装置１０は、複数のステイ３１、複数のハンマー押えローラ３２、および左右一対のガイドレール３３を備えている。
【００３０】
各ステイ３１は、合成樹脂で構成されており、前後方向に延び、前端部において５つのブラケット１９に上下方向に回動自在に支持されている。これらの５つのステイ３１のうち、最外側の２つのステイ（以下「外側ステイ」という）３１，３１は、ブラケット１９の外側面に配置されている。各ステイ３１の後端部には、左右方向に貫通する軸孔３１ａが形成されている。また、各ステイ３１は、ブラケット１９に設けられた板ばね３５によって、上方に弱いばね力で付勢されている。板ばね３５は、所定の形状およびサイズのばね鋼を加工することにより形成されたものである。
【００３１】
ハンマー押えローラ３２は、図１および図３に示すように、左右方向に延び、断面が円形のものであり、その左右の各端面の中心には回転軸３２ａが設けられている。また、ハンマー押えローラ３２は、隣接する各２つのステイ３１，３１の後端部間に配置されており、回転軸３２ａがステイ３１の軸孔３１ａに挿入されることにより、軸孔３１ａを中心として回転自在に支持されている。以上の構成により、すべてのハンマー押えローラ３２がステイ３１の後端部間に沿って同軸線上に延び、ハンマー８の上方に位置するとともに、すべてのステイ３１がハンマー押えローラ３２を介して互いに連結されている。
【００３２】
ガイドレール３３は、合成樹脂で構成されており、積揚４の内側面のピン板３よりも下方の位置に固定されている（図２参照）。また、ガイドレール３３は、前方に向かって斜め下方に直線的に延びる傾斜部３３ａと、傾斜部３３ａの前端部から前方にほぼ水平に直線的に延びる水平部３３ｂを有しており、傾斜部３３ａの下面の全体には、板ばね３５によって付勢された外側ステイ３１，３１が下方から当接している。
【００３３】
次に、図１、図４および図５を参照しながら、ピアノ１の動作について説明する。図１に示すように、鍵７の離鍵状態では、ハンマー８はレペティションレバー２２に載置されており、ハンマーヘッド１６はピン板３の下方に位置している。
【００３４】
この状態で鍵７が押鍵されると、鍵７がバランスピン１３を中心として同図の時計方向に回動するのに伴い、ウィッペン２１が鍵７によって突き上げられる。これにより、ウィッペン２１は、レペティションレバー２２およびジャック２３と一緒に同図の反時計方向に回動する。この回動に伴い、ジャック２３がハンマーシャンク１５を突き上げることによって、ハンマー８が同図の時計方向に上方に回動する。その結果、図４に示すように、ハンマーヘッド１６が、ピン板３の下面を越えて上方に移動し、弦Ｓを打弦することによって、ピアノ音が発生する。
【００３５】
一方、図５に示すように、鍵７やハンマー８の調整などのためにピアノ本体５から筬６が前方に引き出されると、それに伴い、外側ステイ３１，３１が傾斜部３３ａおよび水平部３３ｂに沿って案内されることにより、すべてのステイ３１が、前端部を中心として、板ばね３５のばね力に抗して下方に回動する。このステイ３１の回動に伴い、ハンマー押えローラ３２は、下方に移動し、ハンマーシャンク１５に上方から当接する。
【００３６】
以上のように、筬６をピアノ本体５から引き出す際、ハンマー押えローラ３２がハンマーシャンク１５に上方から当接するため、この状態で鍵７が誤って下方に押されても、各ハンマー８の上方への回動が阻止される。このため、ハンマーヘッド１６がピン板３の下面を越えて上方に移動することがなくなることで、ピン板３との衝突を防止でき、それによりハンマー８などの損傷・破損を防止することができる。
【００３７】
また、引き出された筬６をピアノ本体５に戻す際には、ステイ３１を板ばね３５のばね力に抗して押し下げることにより、ハンマー押えローラ３２をガイドレール３３の水平部３３ｂよりも低くした状態で、筬６をピアノ本体５に押し入れる。これに伴い、外側ステイ３１，３１が、筬６の引出し時とは逆にガイドレール３３の水平部３３ｂおよび傾斜部３３ａの順に、これらに沿って案内されながら、筬６が後方に移動する。
【００３８】
その後、筬６が図１に示す所定位置に達したときに、すべてのステイ３１が、板ばね３５のばね力によって上方に回動し、ガイドレール３３の傾斜部３３ａに当接する。これにより、ハンマー押えローラ３２がハンマーシャンク１５の回動範囲から退避する。このため、押鍵に伴って回動するハンマーシャンク１５がハンマー押えローラ３２に当接することはなく、したがって、ハンマー８による打弦を支障なく行うことができる。
【００３９】
次に、図６を参照しながら、本発明の第２実施形態によるピアノについて説明する。同図に示すように、本実施形態によるピアノ４１は、第１実施形態のピアノ１と比較して、外側ステイ３１，３１にローラ４２を付加した点のみが異なる。なお、以下の説明では、第１実施形態のピアノ１と同一の構成部品については、同一の符号を付して、その詳細な説明を省略するものとする。このことは、後述する第３および第４実施形態についても同様である。
【００４０】
ローラ４２は、各外側ステイ３１の前部および後部に２つ設けられている。各ローラ４２は、外側ステイ３１の外側面に水平軸線を中心として回転自在に取り付けられており、ガイドレール３３の下面に接している。
【００４１】
以上の構成によれば、外側ステイ３１，３１がガイドレール３３に沿って移動する際、ローラ４２がガイドレール３３に接した状態で回転する。このように、外側ステイ３１，３１が移動する際、回転するローラ４２を介してガイドレール３３に接するので、外側ステイ３１，３１とガイドレール３３との摩擦が低減される。その結果、筬６を小さな操作力で円滑に引き出せるとともに、摩擦に起因する雑音を抑制することができる。
【００４２】
次に、図７を参照しながら、本発明の第３実施形態によるピアノについて説明する。同図に示すように、本実施形態によるピアノ５１は、第１実施形態のピアノ１と比較して、外側ステイ３１，３１にフェルト５２を付加した点のみが異なる。
【００４３】
フェルト５２は、各外側ステイ３１の上面に貼り付けられるとともに、ガイドレール３３の下面に接している。ガイドレール３３に接するフェルト５２の表面は、フッ素樹脂加工されており、それにより摩擦係数が小さくなっている。
【００４４】
以上の構成によれば、外側ステイ３１，３１は、フェルト５２の表面がガイドレール３３に接した状態で、ガイドレール３３に沿って移動する。このように、外側ステイ３１，３１が移動する際、摩擦係数の小さなフェルト５２の表面を介してガイドレール３３に接するので、外側ステイ３１，３１とガイドレール３３との摩擦が低減される。その結果、第２実施形態と同様、筬６を小さな操作力で円滑に引き出せるとともに、摩擦に起因する雑音を抑制することができる。
【００４５】
次に、図８を参照しながら、本発明の第４実施形態によるピアノについて説明する。同図に示すように、本実施形態によるピアノ６１は、第１実施形態のピアノ１と比較して、外側ステイ３１，３１にシート６２を付加した点のみが異なる。
【００４６】
シート６２は、各外側ステイ３１の上面に貼り付けられ、ガイドレール３３の下面に接している。また、シート６２は、超高分子量ポリエチレンなどの滑性を有する材料で構成されており、それにより摩擦係数が小さくなっている。なお、このようなシート６２として、市販のものを用いることも可能である。
【００４７】
以上の構成によれば、外側ステイ３１，３１は、シート６２がガイドレール３３に接した状態で、ガイドレール３３に沿って移動する。このように、外側ステイ３１，３１が移動する際、摩擦係数の小さなシート６２を介してガイドレール３３に接するので、ステイ３１とガイドレール３３との摩擦が低減される。その結果、第２および第３実施形態と同様、筬６を小さな操作力で円滑に引き出せるとともに、摩擦に起因する雑音を抑制することができる。
【００４８】
なお、本発明は、説明した実施形態に限定されることなく、種々の態様で実施することができる。例えば、第２〜４実施形態では、ローラ４２、フェルト５２およびシート６２が外側ステイ３１に取り付けられているが、これらをガイドレール３３側に取り付けてもよい。あるいは、フェルト５２およびシート６２については、外側ステイ３１およびガイドレール３３の双方に取り付けてもよい。また、実施形態では、筬６の引出し時にハンマーシャンク１５を押えるためのハンマー押え具として、ステイ３１に回転自在に取り付けられたハンマー押えローラ３２を用いているが、これをステイ３１に固定したものを用いてもよい。
【００４９】
さらに、実施形態では、筬６を引き出す際、ガイドレール３３の案内によるステイ３１の回動に伴い、ハンマー押えローラ３２がハンマーシャンク１５に当接するように構成されているが、これに代えて、ハンマー押えローラ３２を、ハンマーシャンク１５に当接させることなく、その付近の所定高さまで移動させるようにしてもよい。この場合には、鍵７が誤って下方に押されるのに伴い、ハンマー８が上方に回動し、ハンマーシャンク１５がハンマー押えローラ３２に当接することにより、ハンマー８の所定量以上の回動が規制される。したがって、この場合にも、ハンマーヘッド１６がピン板３の下面を越えて上方に移動するのを防止でき、ハンマー８などの損傷・破損を防止するという作用を得ることができる。
【００５０】
また、実施形態は、本発明をグランドピアノに適用した例であるが、これに限らず、ピアノ本体から引出し自在の筬を有する他の鍵盤楽器、例えば、グランドピアノ型の消音ピアノや自動演奏ピアノなどにも適用することができる。その他、本発明の趣旨の範囲内で、細部の構成を適宜、変更することが可能である。
【符号の説明】
【００５１】
１  グランドピアノ（ピアノ）
２  棚板
３  ピン板
５  ピアノ本体
６  筬
７  鍵
８  ハンマー
１０  ハンマー規制装置
１５  ハンマーシャンク
１６  ハンマーヘッド
３１  ステイ
３２  ハンマー押えローラ（ハンマー押え具）
３３  ガイドレール
３３ａ  傾斜部
３５  板ばね（ばね）
４１  ピアノ
４２  ローラ
５１  ピアノ
５２  フェルト
６１  ピアノ
６２  シート
【図１】
2011112950.tif 000003
【図２】
2011112950.tif 000004
【図３】
2011112950.tif 000005
【図４】
2011112950.tif 000006
【図５】
2011112950.tif 000007
【図６】
2011112950.tif 000008
【図７】
2011112950.tif 000009
【図８】
2011112950.tif 000010